(57)【要約】【課題】非圧縮映像信号の長距離伝送における受信品質を改善する。【解決手段】映像データ送信装置１−１の同期信号抽出回路２は、非圧縮映像信号フレームの映像データを含むデータ部分と同期信号データとを分離し、誤り訂正付加回路３は、映像データを含むデータ部分に誤り訂正符号を付加し、１０Ｇ−ＳＤＩフレーム構成回路５は、誤り訂正符号が付加されたデータ部分に同期信号データを追加して、非圧縮映像信号フレームの形式に従う非圧縮映像信号フレームを再構成する。映像データ受信装置１４−１の誤り訂正回路１７は、この誤り訂正符号を利用して誤り訂正処理を行う。非圧縮映像信号のスタッフィングデータ領域を利用し誤り訂正符号を付加することにより、データ容量を保ちながら、ジッタを増加させることなく、誤り訂正機能を付加することができる。【選択図】図１
2012239123.tif 000002
【特許請求の範囲】
【請求項１】
非圧縮映像信号を送信する映像データ送信装置において、
非圧縮映像信号を入力し、前記非圧縮映像信号から、映像データを含むデータ部分と同期信号データとを分離する同期信号抽出回路と、
前記映像データを含むデータ部分に誤り訂正符号を付加する誤り訂正付加回路と、
前記誤り訂正符号が付加されたデータ部分に前記同期信号データを追加し、前記非圧縮映像信号のフレーム形式に従う新たな非圧縮映像信号を再構成するフレーム構成回路と、
前記再構成された新たな非圧縮映像信号を送信する送信部と、を備えたことを特徴とする映像データ送信装置。
【請求項２】
請求項１に記載の映像データ送信装置において、
前記誤り訂正付加回路は、
前記映像データを含むデータ部分を、スクランブル処理されている第１の映像データ、符号化されている第２の映像データ、及び水平補助データを含む補助データに分離する映像信号分離回路と、
前記第１の映像データをデスクランブル処理するデスクランブラと、
前記第２の映像データを圧縮する圧縮部と、
前記デスクランブル処理された第１の映像データ、前記圧縮された第２の映像データ、及び前記補助データを多重化してパケット化する多重部と、
前記多重部により生成されたパケット毎に、パリティデータを誤り訂正符号として付加する誤り訂正符号化回路と、を備えたことを特徴とする映像データ送信装置。
【請求項３】
請求項１または２に記載の映像データ送信装置において、
前記非圧縮映像信号は１０Ｇ−ＳＤＩ規格で定める信号であり、
前記圧縮部は、前記第２の映像データを８Ｂ／１０Ｂ復号する８Ｂ／１０Ｂ復号部である、ことを特徴とする映像データ送信装置。
【請求項４】
請求項１または２に記載の映像データ送信装置において、
前記非圧縮映像信号はＤｕａｌ  ｌｉｎｋ  １．５Ｇ−ＳＤＩ規格で定める信号であり、
前記圧縮部は、前記第２の映像データにおけるＤｕａｌ  ｌｉｎｋのパリティビットを所定数削除するパリティビット削除部である、ことを特徴とする映像データ送信装置。
【請求項５】
請求項１から請求項４までのいずれか一項に記載の映像データ送信装置によって送信された非圧縮映像信号を受信する映像データ受信装置であって、
前記受信した非圧縮映像信号から、受信映像データを含むデータ部分と同期信号データとを分離する同期信号検出回路と、
前記受信映像データを含むデータ部分に付加された誤り訂正符号を用いて、誤り訂正処理を行う誤り訂正回路と、
前記誤り訂正処理が行われたデータ部分及び前記同期信号データを、前記非圧縮映像信号のフレーム形式に従って多重化し、元の非圧縮映像信号を生成する再フレーム化回路と、を備えたことを特徴とする映像データ受信装置。
【請求項６】
請求項５に記載の映像データ受信装置において、
前記誤り訂正回路は、
前記受信映像データを含むデータ部分における誤り訂正符号を復号し、第１の受信映像データ、第２の受信映像データ、及び水平補助データを含む補助データに分離する誤り訂正復号回路と、
前記第１の受信映像データをスクランブル処理するスクランブラと、
前記第２の受信映像データを復元する復元部と、
前記スクランブル処理した第１の受信映像データ、前記復元した第２の受信映像データ、及び前記補助データを多重化して合成する合成回路と、を備えたことを特徴とする映像データ受信装置。
【請求項７】
請求項５または６に記載の映像データ受信装置において、
前記非圧縮映像信号は１０Ｇ−ＳＤＩ規格で定める信号であり、
前記復元部は、前記第２の受信映像データを８Ｂ／１０Ｂ符号化する８Ｂ／１０Ｂ符号部である、ことを特徴とする映像データ受信装置。
【請求項８】
請求項５または６に記載の映像データ受信装置において、
前記非圧縮映像信号はＤｕａｌ  ｌｉｎｋ  １．５Ｇ−ＳＤＩ規格で定める信号であり、前記復元部は、前記第２の受信映像データにおけるＤｕａｌ  ｌｉｎｋのパリティビットを所定数付加するパリティビット付加部である、ことを特徴とする映像データ受信装置。
【発明の詳細な説明】
【技術分野】
【０００１】
本発明は、映像データを送信する装置及び受信する装置に関し、特に、スーパーハイビジョン（ＳＨＶ）等の大容量映像信号を構成する複数のシリアルデジタル信号により伝送する映像伝送システムにおいて、ＳＭＰＴＥで規格化されているフレーム構成についての受信信号の品質を改善する技術に関する。
【背景技術】
【０００２】
近年、ハイビジョン（登録商標）を超える超高精細映像として、デジタルシネマ及びスーパーハイビジョン（ＳＨＶ）が開発されている。従来のハイビジョン映像では、スタジオ内の機器間、スタジオ間等で放送素材を伝送するための非圧縮信号インターフェースとして、１．５Ｇ−ＳＤＩが規定されている（非特許文献１，２，３を参照）。１．５Ｇ−ＳＤＩでは、伝送速度が１．５Ｇｂｐｓ程度であり、安価な同軸ケーブルまたは光複合ケーブルを用いて信号を伝送することができる。また、生放送の中継現場から放送局までの間の伝送等に適用することを目的とした１．５Ｇ−ＳＤＩ信号の長距離光伝送用機器も実用化されている。
【０００３】
その後、超高精細映像においても、生放送の中継等のように放送素材の伝送のために用いる場合には遅延が少ないことが求められ、超高精細映像用の非圧縮信号インターフェースとして、１．５Ｇ−ＳＤＩを２本使用するＤｕａｌ  Ｌｉｎｋ  １．５Ｇ−ＳＤＩ（非特許文献４を参照）、１０．６９２Ｇｂｐｓの伝送速度を持つ１０Ｇ−ＳＤＩが規定されている（非特許文献５を参照）。デジタルシネマ及びＳＨＶは、複数系統のＤｕａｌ  Ｌｉｎｋ  １．５Ｇ−ＳＤＩまたは１０Ｇ−ＳＤＩで伝送される。例えば、ＲＧＢ全ての画素についてＳＨＶの解像度（７６８０×４３２０）を有するフル解像度ＳＨＶ信号は、７２Ｇｂｐｓの映像信号と補助データを含めると、１０Ｇ−ＳＤＩ信号では８系統（Ｄｕａｌ  Ｌｉｎｋ  １．５Ｇ−ＳＤＩ信号では３２系統）で構成される。
【０００４】
このような非圧縮信号インターフェースである１．５Ｇ−ＳＤＩ（Ｄｕａｌ  ｌｉｎｋ  １．５Ｇ−ＳＤＩ）及び１０Ｇ−ＳＤＩは、放送用機器間等の短距離伝送を想定したものであり、巡回符号（ＣＲＣＣ）による誤り検出機能を有する。
【０００５】
しかしながら、デジタルシネマ及びＳＨＶが実用化される際には、例えば放送局間または中継現場から放送局までの間では、長距離の光ファイバによる伝送または無線による非圧縮伝送が想定される。そのため、受信した映像信号の劣化を改善する手法が求められる。
【０００６】
従来、大容量の非圧縮映像信号を１０Ｇｂｐｓ程度の信号速度で伝送する装置が提案されている。その装置の例を以下の（１）〜（４）に示す。
（１）第１の装置は、ＳＭＰＴＥで規格化された１０Ｇ−ＳＤＩを実装した装置であり、フル解像度ＳＨＶ信号（映像情報量：約７２Ｇｂｐｓ）を伝送する際に、８系統の１０Ｇ−ＳＤＩ信号を波長多重して光伝送する（非特許文献６を参照）。
（２）第２の装置は、公衆光通信網を介して非圧縮映像信号を伝送する装置であり、３２系統のＤｕａｌ  ｌｉｎｋ  １．５Ｇ−ＳＤＩ信号で構成されるＳＨＶ信号を、４系統ずつＯＣ−１９２フレームに収容して伝送する（特許文献１を参照）。
（３）第３の装置は、複数の１．５Ｇ−ＳＤＩ信号をＩＰパケット化した後、１０ＧｂＥまたはＯＣ−１９２フレームに収容して伝送する（非特許文献７を参照）。
（４）第４の装置は、誤り訂正符号を付加した最大６本の１．５Ｇ−ＳＤＩ信号を１０Ｇｂｐｓの独自フレームへ収容して伝送する（非特許文献８を参照）。この場合、受信信号の品質を改善することができ、無線にて非圧縮映像信号を伝送することができる。
【先行技術文献】
【特許文献】
【０００７】
【特許文献１】特開２０１１−９８１２号公報
【非特許文献】
【０００８】
【非特許文献１】ＩＴＵ−Ｒ  ＢＴ．１１２０、国際電気通信連合（ＩＴＵ）
【非特許文献２】ＳＭＰＴＥ  ２９２、米国映画テレビ技術者協会規格
【非特許文献３】ＢＴＡ  Ｓ００４、ＡＲＩＢ規格
【非特許文献４】ＳＭＰＴＥ  ３７２、米国映画テレビ技術者協会規格
【非特許文献５】ＳＭＰＴＥ  ４３５、米国映画テレビ技術者協会規格
【非特許文献６】中村円香他、「フル解像度スーパーハイビジョン用機器間光インターフェースの試作」、映像情報メディア学会技術報告、Vol.33、No.32、pp.5−8、2009
【非特許文献７】「ＩＰ／ＭＰＬＳネットワーク上での非圧縮ＨＤ伝送技術」、放送技術、Vol.57、No.11、pp.1369−1374、2004
【非特許文献８】岡部聡他、「ＨＤ−ＳＤＩ信号多重伝送用１０Ｇｂｐｓ誤り訂正符号化装置の開発」、映像情報メディア学会技術報告、Vol.33、No.9、BCT2009−28、IDY2009−37、 pp.13−19、2009
【発明の概要】
【発明が解決しようとする課題】
【０００９】
しかしながら、前記（１）に示した第１の装置は、放送機器間の短距離伝送への適用を想定したものであるため、ＣＲＣＣによる誤り検出機能しか有しておらず、誤りを検出することはできるが、誤りを訂正することはできない。したがって、この装置では、長距離伝送用に対応するための更なる受信品質の向上が難しいという問題があった。
【００１０】
また、前記（２）に示した第２の装置は、ＯＣ−１９２フレームに誤り訂正符号を付加し、ＯＴＮフレームを構成することができるというメリットがある。一方、番組素材用の映像伝送システムの場合、ＨＤ−ＳＤＩ信号または１０Ｇ−ＳＤＩ信号のような映像信号のクロックを分周逓倍して同期クロックを生成し、この生成した同期クロックを送受信機に用いることで、ジッタを最低限に抑えることが望ましいとされている。しかし、この装置では、ＯＣ−１９２及び１０Ｇ−ＳＤＩ信号のクロックが非同期であるため、ジッタが発生しやすいというデメリットがある。したがって、この装置では、番組素材用の映像伝送システムに適用することができないという問題があった。
【００１１】
また、前記（３）に示した第３の装置は、伝送データをＩＰパケット化することにより、誤り訂正及び経路制御が可能になるというメリットがある。しかし、バッファサイズが大きいため、遅延時間が大きくなり、第２の装置と同様に、ＩＰパケットのクロックが非同期であるため、ジッタが発生しやすいというデメリットがある。したがって、この装置も、番組素材用の映像伝送システムに適用することができないという問題があった。
【００１２】
また、前記（４）に示した第４の装置は、無線伝送を可能とする２種類の誤り訂正を付加した方式であるため、品質改善能力は高いというメリットがある。しかし、専用の独自フレームを採用するため、その独自フレームに１０Ｇ−ＳＤＩのデータを全て収容することができないというデメリットがある。したがって、この装置では、超高精細映像用の規格化された非圧縮信号インターフェースに適用することができないという問題があった。
【００１３】
そこで、本発明は前記課題を解決するためになされたものであり、その目的は、規格化された非圧縮映像信号に誤り訂正符号を付加することにより、受信品質を改善することが可能な映像データ送信装置及び受信装置を提供することにある。
【課題を解決するための手段】
【００１４】
前記課題を解決するため、本発明による映像データ送信装置は、非圧縮映像信号を送信する映像データ送信装置において、非圧縮映像信号を入力し、前記非圧縮映像信号から、映像データを含むデータ部分と同期信号データとを分離する同期信号抽出回路と、前記映像データを含むデータ部分に誤り訂正符号を付加する誤り訂正付加回路と、前記誤り訂正符号が付加されたデータ部分に前記同期信号データを追加し、前記非圧縮映像信号のフレーム形式に従う新たな非圧縮映像信号を再構成するフレーム構成回路と、前記再構成された新たな非圧縮映像信号を送信する送信部と、を備えたことを特徴とする。
【００１５】
また、本発明による映像データ送信装置は、前記誤り訂正付加回路が、前記映像データを含むデータ部分を、スクランブル処理されている第１の映像データ、符号化されている第２の映像データ、及び水平補助データを含む補助データに分離する映像信号分離回路と、前記第１の映像データをデスクランブル処理するデスクランブラと、前記第２の映像データを圧縮する圧縮部と、前記デスクランブル処理された第１の映像データ、前記圧縮された第２の映像データ、及び前記補助データを多重化してパケット化する多重部と、前記多重部により生成されたパケット毎に、パリティデータを誤り訂正符号として付加する誤り訂正符号化回路と、を備えたことを特徴とする。
【００１６】
また、本発明による映像データ送信装置は、前記非圧縮映像信号が１０Ｇ−ＳＤＩ規格で定める信号であり、前記圧縮部が、前記第２の映像データを８Ｂ／１０Ｂ復号する８Ｂ／１０Ｂ復号部である、ことを特徴とする。
【００１７】
また、本発明による映像データ送信装置は、前記非圧縮映像信号がＤｕａｌ  ｌｉｎｋ  １．５Ｇ−ＳＤＩ規格で定める信号であり、前記圧縮部が、前記第２の映像データにおけるＤｕａｌ  ｌｉｎｋのパリティビットを所定数削除するパリティビット削除部である、ことを特徴とする。
【００１８】
さらに、本発明の映像データ受信装置は、前記映像データ送信装置によって送信された非圧縮映像信号を受信する映像データ受信装置であって、前記受信した非圧縮映像信号から、受信映像データを含むデータ部分と同期信号データとを分離する同期信号検出回路と、前記受信映像データを含むデータ部分に付加された誤り訂正符号を用いて、誤り訂正処理を行う誤り訂正回路と、前記誤り訂正処理が行われたデータ部分及び前記同期信号データを、前記非圧縮映像信号のフレーム形式に従って多重化し、元の非圧縮映像信号を生成する再フレーム化回路と、を備えたことを特徴とする。
【００１９】
また、本発明の映像データ受信装置は、前記誤り訂正回路が、前記受信映像データを含むデータ部分における誤り訂正符号を復号し、第１の受信映像データ、第２の受信映像データ、及び水平補助データを含む補助データに分離する誤り訂正復号回路と、前記第１の受信映像データをスクランブル処理するスクランブラと、前記第２の受信映像データを復元する復元部と、前記スクランブル処理した第１の受信映像データ、前記復元した第２の受信映像データ、及び前記補助データを多重化して合成する合成回路と、を備えたことを特徴とする。
【００２０】
また、本発明の映像データ受信装置は、前記非圧縮映像信号が１０Ｇ−ＳＤＩ規格で定める信号であり、前記復元部が、前記第２の受信映像データを８Ｂ／１０Ｂ符号化する８Ｂ／１０Ｂ符号部である、ことを特徴とする。
【００２１】
また、本発明の映像データ受信装置は、前記非圧縮映像信号がＤｕａｌ  ｌｉｎｋ  １．５Ｇ−ＳＤＩ規格で定める信号であり、前記復元部が、前記第２の受信映像データにおけるＤｕａｌ  ｌｉｎｋのパリティビットを所定数付加するパリティビット付加部である、ことを特徴とする。
【発明の効果】
【００２２】
以上のように、本発明によれば、規格化された非圧縮映像信号に誤り訂正符号を付加することにより、受信品質を改善することができる。また、非圧縮映像信号の圧縮処理により、非圧縮映像信号からスタッフィングデータ領域を確保し、このスタッフィングデータ領域に誤り訂正符号を付加することで、データ容量を保ちながら、ジッタを増加させることなく、誤り訂正機能を付加することができる。したがって、規格化された非圧縮映像信号において、長距離伝送における受信品質の改善を図ることができる。
【図面の簡単な説明】
【００２３】
【図１】本発明の第１の実施形態（実施例１）による映像データ送信装置の構成を示すブロック図である。
【図２】１０Ｇ−ＳＤＩのフレーム構成を示す図である。
【図３】実施例１の誤り訂正付加回路の構成を示すブロック図である。
【図４】実施例１の誤り訂正を付加したデータ構造を示す図である。
【図５】実施例１の誤り訂正付加回路の処理を説明するフローチャートである。
【図６】実施例１の映像データ受信装置の構成を示すブロック図である。
【図７】実施例１の誤り訂正回路の処理を説明するフローチャートである。
【図８】本発明の第２の実施形態（実施例２）による映像データ送信装置の構成を示すブロック図である。
【図９】４系統のＤｕａｌ  ｌｉｎｋ  １．５Ｇ−ＳＤＩのフレーム構成を示す図である。
【図１０】実施例２の誤り訂正付加回路の構成を示すブロック図である。
【図１１】実施例２の映像データ受信装置の構成を示すブロック図である。
【発明を実施するための形態】
【００２４】
以下、本発明を実施するための形態について図面を用いて詳細に説明する。本発明は、非圧縮映像信号のデータを送受信する装置に関するものである。１０Ｇ−ＳＤＩ等の非圧縮映像信号については、光モジュールを用いた場合であっても、直流成分を可能な限り伝送しないことで安定な伝送を可能にするために、補助データが挿入され、一部の有効映像データに８Ｂ／１０Ｂ符号化したデータが用いられている。また、１０Ｇｂｐｓの光モジュールの送受信特性が補償される伝送速度の範囲に合わせるために、多くのスタッフィングビットが挿入されている。そこで、本発明は、非圧縮映像信号におけるスタッフィングデータ領域に余裕があることに着目したものであり、スタッフィングデータ領域を利用して誤り訂正符号を付加することにより、データ容量を保ちながら、ジッタを増加させることなく、誤り訂正機能を付加することを特徴とする。
【実施例１】
【００２５】
まず、実施例１について説明する。実施例１は、８系統の１０Ｇ−ＳＤＩで構成されたＵＨＤＴＶ信号（７６８０×４３２０画素、ＲＧＢ４：４：４、量子化ビット数１２ビット、フレーム周波数６０Ｈｚまたは６０／１．００１Ｈｚ、順次走査）を送受信する映像データ送信装置及び受信装置の例である。
【００２６】
〔映像データ送信装置〕
図１は、実施例１による映像データ送信装置（以下、「送信装置」という。）の構成を示すブロック図である。同期した８系統の１０Ｇ−ＳＤＩで構成されたフル解像度ＳＨＶ信号が、送信装置１−１〜１−８にそれぞれ入力される。この８系統の１０Ｇ−ＳＤＩフレームはそれぞれ同じデータ構造を有し、送信装置１−１〜１−８の構造及び動作も同じである。以下、送信装置１−１についてのみ説明する。この送信装置１−１は、同期信号抽出回路２、誤り訂正付加回路３、メモリ４、１０Ｇ−ＳＤＩフレーム構成回路５、送信部６及びクロック抽出回路７を備えている。
【００２７】
図２は、１０Ｇ−ＳＤＩのフレーム構成を示す図である。図１の送信装置１−１は、図２に示すフレーム構成の１０Ｇ−ＳＤＩ１信号を入力する。図２に示すように、１０Ｇ−ＳＤＩのフレームは、先頭から、６４ワードの同期信号（ＳＡＶデータ）、６４ワードのＬＮ／ＣＲＣＣデータ、３０７２０ワードの有効映像データ、６４ワードのＥＡＶデータ、６７０ワードの水平補助データ及び９８ワードのスタッフィングデータから構成される。１０Ｇ−ＳＤＩ信号の合計は、３１６８０ワードである。また、有効映像データは、４ワード毎に、８Ｂ／１０Ｂ符号化された映像データとスクランブル処理された映像データとにより、交互に構成される。尚、１ワード＝１０ビットとしている。
【００２８】
図１に戻り、送信装置１−１において、同期信号抽出回路２及びクロック抽出回路７は、１０Ｇ−ＳＤＩ１信号（以下、「１０Ｇ−ＳＤＩ信号」という。）を入力する。クロック抽出回路７は、入力した１０Ｇ−ＳＤＩ信号からクロックを抽出し、抽出したクロックを逓倍分周し、同期信号抽出回路２、誤り訂正付加回路３、メモリ４、１０Ｇ−ＳＤＩフレーム構成回路５及び送信部６に出力する。同期信号抽出回路２、誤り訂正付加回路３、メモリ４、１０Ｇ−ＳＤＩフレーム構成回路５及び送信部６は、クロック抽出回路２からクロックを入力し、そのクロックのタイミングにて、それぞれの処理を行う。
【００２９】
同期信号抽出回路２は、入力した１０Ｇ−ＳＤＩ信号から同期信号（ＳＡＶデータ）を抽出し、同期信号（６４ワード）と、それ以外の部分（３１６１６ワード。以下、「映像データ等」という。）とに分離し、同期信号をメモリ４に格納し、映像データ等を誤り訂正付加回路３に出力する。尚、映像データ等とは、図２を参照して、ＬＮ／ＣＲＣＣデータ、有効映像データ、ＥＡＶデータ、水平補助データ及びスタッフィングデータのことである。
【００３０】
誤り訂正付加回路３は、同期信号抽出回路２から映像データ等を入力し、映像データ等に誤り訂正符号を付加し、誤り訂正符号を付加した映像データ等を１０Ｇ−ＳＤＩフレーム構成回路５に出力する。誤り訂正付加回路３の詳細については後述する。
【００３１】
１０Ｇ−ＳＤＩフレーム構成回路５は、誤り訂正付加回路３から誤り訂正符号が付加された映像データ等を入力すると共に、メモリ４から同期信号を読み出し、映像データ等に同期信号であるＳＡＶデータを追加し、１０Ｇ−ＳＤＩフレームを再構成し、再構成した１０Ｇ−ＳＤＩ信号を送信部６に出力する。送信部６は、１０Ｇ−ＳＤＩフレーム構成回路５から再構成された１０Ｇ−ＳＤＩ信号を入力し、１０Ｇ−ＳＤＩ信号の電気信号を光信号に変換し、光信号にて送信する。または、送信部６は、１０Ｇ−ＳＤＩ信号を無線にて送信する。
【００３２】
尚、図１の破線にて示すように、同期信号抽出回路２、誤り訂正付加回路３、メモリ４、１０Ｇ−ＳＤＩフレーム構成回路５及び送信部６は、クロック抽出回路７から出力されたクロックによって同期した処理を行うことができ、送信装置１−１は、同期した送信システムとして動作する。
【００３３】
（誤り訂正付加回路の構成）
次に、図１に示した誤り訂正付加回路３について詳細に説明する。図３は、誤り訂正付加回路３の構成を示すブロック図である。この誤り訂正付加回路３は、映像信号分離回路８、デスクランブラ９、８Ｂ／１０Ｂ復号部（圧縮部）１０、多重部１１、誤り訂正符号化回路１２及びバイト→ワード変換回路１３を備えている。
【００３４】
映像信号分離回路８は、同期信号抽出回路２から映像データ等（３１６１６ワード）を入力し、有効映像データのうちの第１の映像データ及び第２の映像データと、それ以外の部分（以下、「水平補助データ等」（補助データ）という。）とに分離する。尚、水平補助データ等とは、図２を参照して、水平補助データ、ＬＮ／ＣＲＣＣデータ、ＥＡＶデータ及びスタッフィングデータのことである。
【００３５】
図２に示すように、ＳＭＰＴＥ４３５で定める有効映像データ領域は、生成多項式によってスクランブル処理されたデータ領域と８Ｂ／１０Ｂ符号化されたデータ領域とが４ワード毎に交互に配列されている。映像信号分離回路８は、有効映像データのうち、スクランブル処理されたデータ領域のデータを第１の映像データとして分離し、デスクランブラ９に出力し、８Ｂ／１０Ｂ符号化されているデータ領域のデータを第２の映像データとして分離し、８Ｂ／１０Ｂ復号部１０に出力する。また、映像信号分離回路８は、水平補助データ等を多重部１１に出力する。尚、第１の映像データ及び第２の映像データは同ワード数となり、各々１５３６０ワードである。また、水平補助データ等は、８９６ワードである。
【００３６】
デスクランブラ９は、映像信号分離回路８から第１の映像データを入力し、ＳＭＰＴＥ４３５の規定に従って、第１の映像データをデスクランブル処理し、多重部１１に出力する。８Ｂ／１０Ｂ復号部１０は、映像信号分離回路８から第２の映像データを入力し、ＳＭＰＴＥ４３５の規定に従って、第２の映像データを８Ｂ／１０Ｂ復号し、多重部１１に出力する。すなわち、デスクランブラ９は、第１の映像データのスクランブル処理を解き（デスクランブル処理し）、８Ｂ／１０Ｂ復号部１０は、圧縮手段として作用し、第２の映像データをワード形式のデータからバイト形式のデータに変換（圧縮）する。デスクランブラ９は、１５３６０ワードの第１の映像データを出力し、８Ｂ／１０Ｂ復号部１０は、１２２８８ワード（＝１５３６０×０．８ワード）の第２の映像データを出力する。
【００３７】
多重部１１は、映像信号分離回路８から水平補助データ等（８９６ワード）を、デスクランブラ９から第１の映像データ（１５３６０ワード）を、８Ｂ／１０Ｂ復号部１０から第２の映像データ（１２２８８ワード）をそれぞれ入力し、ワード単位のデータをバイト単位のデータに変換し、バイト単位の全てのデータに対してＳＭＰＴＥ４３５の規定によるスクランブル処理を行い、スクランブル処理したデータを１８７バイト単位でパケット化する。ここで、全てのパケットに収容されるべきデータは、水平補助データ等（８９６ワード）を構成する水平補助データ６７００ビット、スタッフィングデータ９８０ビット、ＥＡＶデータ及びＬＮ／ＣＲＣＣデータ１２８０ビットと、第１の映像データ１５３６００ビットと、第２の映像データ１２２８８０ビットとの合計２８５４４０ビットである。多重部１１の出力データの構造はバイト単位であるから、これは３５６８０バイトとなる。
【００３８】
多重部１１は、この３５６８０バイトの映像データ等を１８７バイト毎にパケット化する。ここで、３５６８０バイト＝１８７バイト×１９１パケット−３７バイトであるから、多重部１１では、１９１個のパケットが形成され、１９１個目のパケットには３７バイトのスタッフィングバイトが割り当てられる。このスタッフィングバイトの内容は任意であるが、後に誤り訂正を付加した後に直流成分が出やすいデータ列は、ノイズ対策の観点から避けることが望ましい。
【００３９】
誤り訂正符号化回路１２は、多重部１１から１８７バイト単位のパケットを１９１パケット入力し、各パケットに同期バイト（１バイト）及び誤り訂正符号のパリティバイト（１６バイト）を付加し、さらにスタッフィングデータを付加してバイト→ワード変換回路１３に出力する。
【００４０】
図４は、誤り訂正符号化回路１２により誤り訂正符号が付加されたデータ構造を示す図である。図４に示すように、誤り訂正符号化回路１２は、各１８７バイトのパケットの前後にそれぞれ１バイトの同期バイト及び１６バイトのパリティバイトを付加し、各２０４バイトのパケットを形成する。誤り訂正付加回路３に入力されるデータは３１６１６ワードであるから、これは３９５２０バイトである。一方、２０４バイトのパケットが１９１個形成されるから、これは２０４バイト×１９１パケット＝３８９６４バイトとなり、前記の３９５２０バイトよりも少ない。誤り訂正符号化回路１２は、この不足分のバイトを埋めるために、５５６バイトのスタッフィングデータを生成し、１９１パケットの終りに付加する。このスタッフィングデータの内容も任意であるが、直流成分が出にくいデータ列とすることが望ましい。また、このスタッフィングデータに新たな情報を付加してもよい。
【００４１】
尚、図４に示したデータ構造では、各パケットに同期バイトを付加する例を示したが、誤り訂正符号化回路１２は、同期バイトは付加しないようにしてもよい。これは、各パケットが固定長であることから、同期バイトがなくてもパケットの境界及び反復を区別することができるからである。この場合、誤り訂正符号化回路１２は、各１８７バイトのパケットの後に１６バイトのパリティバイトを付加し、各２０３バイトのパケットを形成する。２０３バイトのパケットが１９１個形成されるから、これは２０３バイト×１９１パケット＝３８７７３バイトとなり、全体の３９５２０バイトよりも少ない。誤り訂正符号化回路１２は、この不足分のバイトを埋めるために、７４７バイトのスタッフィングデータを生成し、１９１パケットの終りに付加する。
【００４２】
バイト→ワード変換回路１３は、誤り訂正符号化回路１２から図４に示したデータを入力し、バイト単位のデータをワード単位のデータに変換し、１０Ｇ−ＳＤＩフレーム構成回路５に出力する。
【００４３】
（誤り訂正付加回路の処理）
図５は、誤り訂正付加回路３の処理を説明するフローチャートである。この処理は、映像データ等が同期信号抽出回路２から映像信号分離回路８に入力されることにより開始する。まず、映像信号分離回路８が、映像データを入力し、映像データが有効映像データ領域のうちのスクランブル処理されている映像データであるか否かを判定する（ステップＳ５０１）。映像信号分離回路８が、ステップＳ５０１において、スクランブル処理されている映像データであると判定した場合（ステップＳ５０１：Ｙ）、その映像データをデスクランブラ９に出力し、デスクランブラ９がデスクランブル処理する（ステップＳ５０２）。
【００４４】
一方、映像信号分離回路８が、ステップＳ５０１において、映像データが有効映像データ領域のうちのスクランブル処理されている映像データでないと判定した場合（ステップＳ５０１：Ｎ）、映像データが有効映像データ領域のうちの８Ｂ／１０Ｂ符号化されている映像データであるか否かを判定する（ステップＳ５０３）。そして、映像信号分離回路８が、ステップＳ５０３において、８Ｂ／１０Ｂ符号化されている映像データであると判定した場合（ステップＳ５０３：Ｙ）、その映像データを８Ｂ／１０Ｂ復号部１０に出力し、８Ｂ／１０Ｂ復号部１０が８Ｂ／１０Ｂ復号して映像データを圧縮する（ステップＳ５０４）。映像信号分離回路８が、ステップＳ５０３において、８Ｂ／１０Ｂ符号化されている映像データでないと判定した場合（ステップＳ５０３：Ｎ）、処理はステップＳ５０５へ移行する。
【００４５】
多重部１１は、ステップＳ５０２及びＳ５０４において処理された映像データ、及び映像信号分離回路８により分離された水平補助データ等について、ワード単位のデータをバイト単位のデータに変換し（ステップＳ５０５）、全てのバイト単位のデータに対してＳＭＰＴＥ４３５の規定によるスクランブル処理を行い（ステップＳ５０６）、スクランブル処理したデータを所定バイト単位（本実施例では１８７バイト単位）でパケット化する（ステップＳ５０７）。この場合、多重部１１は、最終パケット（本実施例では１９１個目のパケット）に、不足分のバイト数（本実施例では３７バイト）のスタッフィングバイトを付加する。
【００４６】
誤り訂正符号化回路１２は、ステップＳ５０７において生成された各パケットに対し、誤り訂正符号を付加する（ステップＳ５０８）。すなわち、誤り訂正符号化回路１２は、各パケットの前後にそれぞれ同期バイト（本実施例では１バイト）及びパリティバイト（本実施例では１６バイト）を付加し、各２０４バイトのパケットを形成する。そして、誤り訂正符号化回路１２は、映像信号分離回路８に入力された映像データ等に対応するバイト数に足りないバイトを埋めるために、スタッフィングデータ（本実施例では５５６バイト）を生成し、それを１９１パケットの終りに付加する（ステップＳ５０９）。
【００４７】
最後に、バイト→ワード変換回路１３は、ステップＳ５０９において形成されたデータを、バイト単位のデータからワード単位のデータに変換し、１０Ｇ−ＳＤＩフレーム構成回路５に出力する（ステップＳ５１０）。
【００４８】
〔映像データ受信装置〕
次に、実施例１による映像データ受信装置（以下、「受信装置」という。）について説明する。図６は、実施例１による受信装置の構成を示すブロック図である。この受信装置１４−１〜１４−８は、対応する送信装置１−１〜１−８から８系統の信号をそれぞれ入力し、８系統の１０Ｇ−ＳＤＩ信号をそれぞれ出力する。出力された８系統の１０Ｇ−ＳＤＩ信号は、同期した８系統の１０Ｇ−ＳＤＩで構成されたフル解像度ＳＨＶ信号となる。受信装置１４−１〜１４−８は、送信装置１−１〜１−８の場合と同様に、その構造及び動作が同じである。以下、受信装置１４−１についてのみ説明する。受信装置１４−１は、受信部１５、同期信号検出回路１６、誤り訂正回路１７、メモリ２３、１０Ｇ−ＳＤＩ再フレーム化回路２４及びクロック再生回路２５を備えている。受信装置１４−１は、基本的に送信装置１−１と逆の処理を行う。
【００４９】
送信装置１−１の送信部６から送信された光信号は、受信部１５により受信される。受信部１５は、受信した光信号を電気信号に変換し、変換後の信号を同期信号検出回路１６及びクロック再生回路２５に出力する。または、受信部１５は、送信装置１−１の送信部６から送信された無線信号を受信し、無線信号を変換し、変換後の信号を出力する。
【００５０】
クロック再生回路２５は、受信部１５から信号を入力し、入力した信号からクロックを再生し、再生したクロックを逓倍分周し、同期信号検出回路１６、誤り訂正回路１７、メモリ２３及び１０Ｇ−ＳＤＩ再フレーム化回路２４に出力する。同期信号検出回路１６、誤り訂正回路１７、メモリ２３及び１０Ｇ−ＳＤＩ再フレーム化回路２４は、クロック再生回路２５からクロックを入力し、そのクロックのタイミングにて、それぞれの処理を同期して行うことができ、受信装置１４−１は、同期した受信システムとして動作する。
【００５１】
同期信号検出回路１６は、受信部１５から信号を入力し、入力した信号を、１０Ｇ−ＳＤＩフレームにおける同期信号（ＳＡＶデータ）と、それ以外の部分、すなわち、映像データ等とに分離し、同期信号をメモリ２３に格納し、映像データ等を誤り訂正回路１７に出力する。
【００５２】
誤り訂正回路１７は、同期信号検出回路１６から映像データ等を入力し、誤り訂正処理を行い、誤り訂正処理後の映像データ等を１０Ｇ−ＳＤＩ再フレーム化回路２４に出力する。誤り訂正回路１７の詳細については後述する。
【００５３】
１０Ｇ−ＳＤＩ再フレーム化回路２４は、誤り訂正回路１７から映像データ等を入力すると共に、メモリ２３から同期信号を読み出し、映像データ等に同期信号であるＳＡＶデータを追加して多重し、１０Ｇ−ＳＤＩフレームを構成し、１０Ｇ−ＳＤＩ１信号を出力する。
【００５４】
（誤り訂正回路の構成）
次に、図６に示した誤り訂正回路１７について詳細に説明する。図６に示すように、この誤り訂正回路１７は、ワード→バイト変換回路１８、誤り訂正復号回路１９、スクランブラ２０、８Ｂ／１０Ｂ符号部（復元部）２１及び合成回路２２を備えている。
【００５５】
ワード→バイト変換回路１８は、同期信号検出回路１６から映像データ等を入力し、図３に示したバイト→ワード変換回路１３の逆の処理を行い、ワード単位のデータをバイト単位のデータに変換し、図４に示したデータを生成して誤り訂正復号回路１９に出力する。
【００５６】
誤り訂正復号回路１９は、ワード→バイト変換回路１８からデータを入力し、図３に示した誤り訂正符号化回路１２により付加されたパリティバイトを用いて、誤り訂正復号を行い、第１の映像データ、第２の映像データ及び水平補助データ等（補助データ）に分離し、第１の映像データをスクランブラ２０に出力し、第２の映像データを８Ｂ／１０Ｂ符号部２１に出力し、水平補助データ等を合成回路２２に出力する。すなわち、誤り訂正復号回路１９は、映像データ等について、パリティチェックを行い、パリティバイト、スタッフィングバイト及び同期バイトを除去し、脱パケット化する。そして、誤り訂正復号回路１９は、その映像データ等をデスクランブル処理し、バイト単位のデータをワード単位のデータに変換し、映像データと水平補助データ等（水平補助データ、スタッフィングデータ、ＥＡＶデータ、ＬＮ／ＣＲＣＣデータ）とに分離する。尚、映像データは、１０Ｇ−ＳＤＩのフレーム構成に従い、４ワード毎に交互に配列された第１の映像データと第２の映像データとに分離される。
【００５７】
スクランブラ２０は、誤り訂正復号回路１９から第１の映像データを入力し、ＳＭＰＴＥ４３５の規定に従って、第１の映像データをスクランブル処理し、合成回路２２に出力する。８Ｂ／１０Ｂ符号部２１は、誤り訂正復号回路１９から第２の映像データを入力し、ＳＭＰＴＥ４３５の規定に従って、第２の映像データを８Ｂ／１０Ｂ符号化し、合成回路２２に出力する。すなわち、スクランブラ２０は、第１の映像データのデスクランブル処理を解き（スクランブル処理し）、８Ｂ／１０Ｂ符号部２１は、復元手段として作用し、第２の映像データをバイト形式のデータからワード形式のデータに変換（復元）する。スクランブラ２０は、１５３６０ワードの第１の映像データを出力し、８Ｂ／１０Ｂ符号部２１も、１５３６０ワードの第２の映像データを出力する。
【００５８】
合成回路２２は、スクランブラ２０から第１の映像データを、８Ｂ／１０Ｂ符号部２１から第２の映像データを、誤り訂正復号回路１９から水平補助データ等をそれぞれ入力し、第１の映像データ、第２の映像データ及び水平補助データ等を多重化して合成し、映像データ等として再構成し、１０Ｇ−ＳＤＩ再フレーム化回路２４に出力する。
【００５９】
（誤り訂正回路の処理）
図７は、誤り訂正回路１７の処理を説明するフローチャートである。この処理は、映像データ等が同期信号検出回路１６からワード→バイト変換回路１８に入力されることにより開始する。まず、ワード→バイト変換回路１８が、映像データ等を入力し、ワード単位のデータをバイト単位のデータに変換する（ステップＳ７０１）。
【００６０】
誤り訂正復号回路１９は、誤り訂正復号処理として、ステップＳ７０１においてバイト変換された映像データ等に対し、パリティチェックを行い、パリティバイト等を除去して脱パケット化し（ステップＳ７０２）、デスクランブル処理し（ステップＳ７０３）、バイト単位のデータをワード単位のデータに変換する（ステップＳ７０４）。そして、誤り訂正復号回路１９が、データが映像データであるか否かを判定し（ステップＳ７０５）、データが映像データであると判定した場合（ステップＳ７０５：Ｙ）、その映像データを４ワード毎に交互に第１の映像データと第２の映像データとに分離し、処理はステップＳ７０６へ移行する。一方、誤り訂正復号回路１９が、ステップＳ７０５において、データが映像データではないと判定した場合（ステップＳ７０５：Ｎ）、処理はステップＳ７０７へ移行する。
【００６１】
スクランブラ２０及び８Ｂ／１０Ｂ符号部２１は、ＳＭＰＴＥ４３５の規定に従って、映像データを、４ワード毎にスクランブル処理及び８Ｂ／１０Ｂ符号化する（ステップＳ７０６）。
【００６２】
合成回路２２は、ステップＳ７０６またはステップＳ７０５から移行して、ステップＳ７０６においてスクランブル処理された映像データと、８Ｂ／１０Ｂ符号化された映像データと、水平補助データ等とを多重化して合成し、１０Ｇ−ＳＤＩフレーム構成のデータを再構成し、映像データ等として１０Ｇ−ＳＤＩ再フレーム化回路２４に出力する（ステップＳ７０７）。
【００６３】
以上のように、実施例１の送信装置１−１及び受信装置１４−１によれば、ＳＭＰＴＥ４３５で規定された１０Ｇ−ＳＤＩのデータに、誤り訂正符号を付加して送受信することができる。すなわち、送信装置１−１が、１０Ｇ−ＳＤＩ信号に含まれる８Ｂ／１０Ｂ符号化された映像データを８Ｂ／１０Ｂ復号して圧縮し、この圧縮により得られたスタッフィングデータ領域を利用して、そのスタッフィングデータ領域に誤り訂正符号を付加するようにした。これにより、データ容量を保ちながら、ジッタを増加させることなく、誤り訂正機能を付加することができる。したがって、この１０Ｇ−ＳＤＩ映像信号の長距離伝送における受信品質の改善を図ることが可能となる。
【実施例２】
【００６４】
次に、実施例２について説明する。前記実施例１では、非圧縮映像信号として８系統の１０Ｇ−ＳＤＩ信号を用いる例を示したが、実施例２では、４系統のＤｕａｌ  ｌｉｎｋ  １．５Ｇ−ＳＤＩで構成された高精細映像信号を伝送する例を示す。４系統のＤｕａｌ  ｌｉｎｋ  １．５Ｇ−ＳＤＩは、ＳＭＰＴＥ４３５のＭｏｄｅＤの規定により、１系統の１０Ｇ−ＳＤＩを構成することができる。実施例２は、実施例１と同様に、１０Ｇ−ＳＤＩを構成する際に、誤り訂正符号を付加するものである。
【００６５】
〔映像データ送信装置〕
図８は、本発明の本実施例による送信装置の構成を示すブロック図である。同期した４系統のＤｕａｌ  ｌｉｎｋ  １．５Ｇ−ＳＤＩ信号が、送信装置２６に入力される。この４系統のＤｕａｌ  ｌｉｎｋ  １．５Ｇ−ＳＤＩ信号はそれぞれ同じデータ構造を有している。この送信装置２６は、同期信号抽出回路２７、誤り訂正付加回路２８、１０Ｇ−ＳＤＩ同期信号生成回路２９、１０Ｇ−ＳＤＩフレーム構成回路５及び送信部６を備えている。
【００６６】
尚、１０Ｇ−ＳＤＩフレーム構成回路５及び送信部６は、実施例１と同様であるから、ここでは説明を省略する。また、図８は、クロック抽出回路が省略されている。クロック抽出回路は、図１と同様に、入力した信号からクロックを抽出し、抽出したクロックを逓倍分周する。同期信号抽出回路２７、誤り訂正付加回路２８、１０Ｇ−ＳＤＩ同期信号生成回路２９、１０Ｇ−ＳＤＩフレーム構成回路５及び送信部６は、クロック抽出回路からのクロックによって同期した処理を行うことができ、送信装置２６は、同期した送信システムとして動作する。
【００６７】
図９は、４系統のＤｕａｌ  ｌｉｎｋ  １．５Ｇ−ＳＤＩのフレーム構成を示す図である。図９に示すように、各系統の１つのＬｉｎｋのフレームは、先頭から、８ワードの同期信号（ＳＡＶデータ）、３８４０ワードの有効映像データ、並びに１６ワードのＥＡＶデータ、ＬＮデータ及びＣＲＣＣデータを含み、さらに、１系統目のＬｉｎｋＡには、５３６ワードの水平補助データ（ＨＡＮＣデータ）が含まれ、１系統目のＬｉｎｋＢ及び他の系統のＬｉｎｋＡ，Ｂには、水平補助データは含まれない。
【００６８】
図８に戻り、同期信号抽出回路２７は、１系統あたりＬｉｎｋＡ，Ｂの信号からなる４系統のＤｕａｌ  ｌｉｎｋ  １．５Ｇ−ＳＤＩ信号を入力し、全Ｄｕａｌ  ｌｉｎｋ  １．５Ｇ−ＳＤＩフレームにおける同期信号（ＳＡＶデータ、８ワード×８）と、それ以外の部分（以下、「映像データ等」という。）とに分離し、４系統（８本）の同期信号を１０Ｇ−ＳＤＩ同期信号生成回路２９に出力し、４系統（８本）の映像データ等を誤り訂正付加回路２８に出力する。尚、映像データ等とは、有効映像データ領域、ＥＡＶ、ＬＮ及びＣＲＣＣ並びに水平補助データである。
【００６９】
誤り訂正付加回路２８は、同期信号抽出回路２７から４系統の映像データ等を入力し、映像データ等に誤り訂正符号を付加し、誤り訂正符号を付加した映像データ等を１０Ｇ−ＳＤＩフレーム構成回路５に出力する。誤り訂正付加回路２８の詳細については後述する。
【００７０】
１０Ｇ−ＳＤＩ同期信号生成回路２９は、同期信号抽出回路２７から４系統の同期信号を入力し、ＳＭＰＴＥ４３５のＭｏｄｅＤで定めるＳＡＶの多重処理を行い、１０Ｇ−ＳＤＩの同期信号（ＳＡＶデータ）に変換し、１０Ｇ−ＳＤＩ同期信号（ＳＡＶデータ）として１０Ｇ−ＳＤＩフレーム構成回路５に出力する。この１０Ｇ−ＳＤＩ同期信号は、図２に示したＳＡＶデータに相当する。
【００７１】
（誤り訂正付加回路）
次に、図８に示した誤り訂正付加回路２８について詳細に説明する。図１０は、誤り訂正付加回路２８の構成を示すブロック図である。この誤り訂正付加回路２８は、映像信号分離回路３０、デスクランブラ３１、パリティビット削除部（圧縮部）３２、補助データ符号多重部３３、多重部１１、誤り訂正符号化回路１２及びバイト→ワード変換回路１３を備えている。尚、多重部１１、誤り訂正符号化回路１２及びバイト→ワード変換回路１３は、実施例１と同様であるから、ここでは説明を省略する。
【００７２】
映像信号分離回路３０は、同期信号抽出回路２７から４系統（８本）の映像データ等を入力し、ＬｉｎｋＡに対応する第１の映像データと、ＬｉｎｋＢに対応する第２の映像データと、それ以外の部分（以下、「水平補助データ等」（補助データ）という。）とに分離し、第１の映像データをデスクランブラ３１に出力し、第２の映像データをパリティビット削除部３２に出力し、水平補助データ等を補助データ符号多重部３３に出力する。水平補助データ等とは、１系統目のＬｉｎｋＡの水平補助データ並びに全系統全ＬｉｎｋのＥＡＶデータ、ＬＮデータ及びＣＲＣＣデータのことである。
【００７３】
デスクランブラ３１は、映像信号分離回路３０から第１の映像データ（ＬｉｎｋＡに対応する映像データ）を入力し、ＳＭＰＴＥ３７２の規定に従って、第１の映像データをデスクランブル処理することでＤｕａｌ  ｌｉｎｋのスクランブルを解く。そして、デスクランブラ３１は、図３に示したデスクランブラ９により出力される第１の映像データ（１５３６０ワード）と同じデータを多重部１１に出力する。
【００７４】
パリティビット削除部３２は、映像信号分離回路３０から第２の映像データ（ＬｉｎｋＢに対応する映像データ）を入力し、ＳＭＰＴＥ３７２の規定に従って、第２の映像データに含まれるＤｕａｌ  ｌｉｎｋのパリティビットを４０ビットにつき８ビット削除し、有効データを抽出する。そして、パリティビット削除部３２は、図３に示した８Ｂ／１０Ｂ復号部１０により出力される第２の映像データ（１２２８８ワード）と同じデータを多重部１１に出力する。このように、パリティビット削除部３２は、第２の映像データを圧縮する圧縮手段として作用する。
【００７５】
補助データ符号多重部３３は、映像信号分離回路３０から水平補助データ等を入力し、ＳＭＰＴＥ４３５  ＭｏｄｅＤの規定に従って、水平補助データを８Ｂ／１０Ｂ符号化し、４系統（８本）のＥＡＶデータ、ＬＮデータ及びＣＲＣＣデータを多重化する。そして、補助データ符号多重部３３は、図３に示した映像信号分離回路８により出力される水平補助データ等（８９６ワード）と同じデータを多重部１１に出力する。
【００７６】
このように、デスクランブラ３１、パリティビット削除部３２及び補助データ符号多重部３３の処理によって、多重部１１に入力されるデータは、実施例１と同じデータとなる。したがって、多重部１１、誤り訂正符号化回路１２及びバイト→ワード変換回路１３により、誤り訂正符号が付加された映像データ等が生成され、図１０に示した誤り訂正付加回路２８は、図３に示した誤り訂正付加回路３により出力される映像データ等と同じデータを出力する。
【００７７】
〔映像データ受信装置〕
次に、実施例２による受信装置について説明する。図１１は、実施例２による受信装置の構成を示すブロック図である。この受信装置３４は、送信装置２６から信号を入力し、４系統のＤｕａｌ  ｌｉｎｋ  １．５Ｇ−ＳＤＩ信号を出力する。この４系統のＤｕａｌ  ｌｉｎｋ  １．５Ｇ−ＳＤＩ信号を８グループ合わせて同期されることにより、フル解像度ＳＨＶ信号となる。受信装置３４は、受信部１５、同期信号検出回路１６、誤り訂正回路３５、１．５Ｇ−ＳＤＩ同期信号生成回路３９及びＤｕａｌ  ｌｉｎｋ  １．５Ｇ−ＳＤＩ再フレーム化回路４０を備えている。受信装置３４は，基本的に、送信装置２６と逆の処理を行う。
【００７８】
尚、受信部１５及び同期信号検出回路１６は、実施例１と同様であるから、ここでは説明を省略する。これは、受信装置３４の受信信号が、図６に示した受信装置１４の受信信号と同様の１０Ｇ−ＳＤＩフレームにより構成されているからである。また、図１１は、クロック再生回路が省略されている。クロック再生回路は、図６と同様に、受信部１５からの信号に基づいてクロックを再生し、再生したクロックを逓倍分周する。同期信号検出回路１６、誤り訂正回路３５、１．５Ｇ−ＳＤＩ同期信号生成回路３９及びＤｕａｌ  ｌｉｎｋ  １．５Ｇ−ＳＤＩ再フレーム化回路４０は、クロック再生回路からのクロックによって同期した処理を行うことができ、受信装置３４は、同期した受信システムとして動作する。
【００７９】
誤り訂正回路３５は、同期信号検出回路１６から映像データ等を入力し、誤り訂正処理を行い、誤り訂正処理後の映像データ等をＤｕａｌ  ｌｉｎｋ  １．５Ｇ−ＳＤＩ再フレーム化回路４０に出力する。誤り訂正回路３５の詳細については後述する。
【００８０】
１．５Ｇ−ＳＤＩ同期信号生成回路３９は、同期信号検出回路１６から同期信号（ＳＡＶデータ）を入力し、ＳＭＰＴＥ４３５の規定に従って、１０Ｇ−ＳＤＩの同期信号を削除し、４系統（８本）のＤｕａｌ  ｌｉｎｋ  １．５Ｇ−ＳＤＩ信号におけるＳＡＶデータを生成し、Ｄｕａｌ  ｌｉｎｋ  １．５Ｇ−ＳＤＩ再フレーム化回路４０に出力する。１．５Ｇ−ＳＤＩ同期信号生成回路３９により出力されるＳＡＶデータは、図９に示したＳＡＶデータに相当する。
【００８１】
Ｄｕａｌ  ｌｉｎｋ  １．５Ｇ−ＳＤＩ再フレーム化回路４０は、誤り訂正回路３５から映像データ等を入力すると共に、１．５Ｇ−ＳＤＩ同期信号生成回路３９から４系統のＳＡＶデータを入力し、映像データ等及びＳＡＶデータを多重化し、４系統のＤｕａｌ  ｌｉｎｋ  １．５Ｇ−ＳＤＩフレームを再構成し、各系統の各リンクの信号として出力する。
【００８２】
（誤り訂正回路）
次に、図１１に示した誤り訂正回路３５について詳細に説明する。図１１に示すように、誤り訂正回路３５は、ワード→バイト変換回路１８、誤り訂正復号回路１９、データ分離部３６、パリティビット付加部（復元部）３７及び補助データ復号分離部３８を備えている。
【００８３】
ワード→バイト変換回路１８は、実施例１と同様に、同期信号検出回路１６から映像データ等を入力し、図１０に示したバイト→ワード変換回路１３の逆の処理を行い、ワード単位のデータをバイト単位のデータに変換し、誤り訂正復号回路１９に出力する。
【００８４】
誤り訂正復号回路１９は、実施例１と同様に、ワード→バイト変換回路１８からデータを入力し、図１０に示した誤り訂正符号化回路１２により付加されたパリティバイトを用いて、誤り訂正復号を行い、第１の映像データ、第２の映像データ及び水平補助データ等（補助データ）に分離し、第１の映像データをデータ分離部３６に出力し、第２の映像データをパリティビット付加部３７に出力し、水平補助データ等を補助データ復号分離部３８に出力する。すなわち、誤り訂正復号回路１９は、映像データ等について、パリティチェックを行い、パリティバイト、スタッフィングバイト及び同期バイトを除去し、脱パケット化する。そして、誤り訂正復号回路１９は、その映像データ等をデスクランブル処理し、バイト単位のデータをワード単位のデータに変換し、ＬｉｎｋＡに対応する４０ビットの第１の映像データと、ＬｉｎｋＢに対応する３２ビットの第２の映像データと、水平補助データ等（ＥＡＶデータ、ＬＮデータ、ＣＲＣＣデータ及び水平補助データ）とに分離する。尚、映像データは、４０ビットの第１の映像データと３２ビットの第２の映像データとに交互に分離される。
【００８５】
データ分離部３６は、誤り訂正復号回路１９から第１の映像データを入力し、第１の映像データを４つに分離し、４系統のＤｕａｌ  ｌｉｎｋ  １．５Ｇ−ＳＤＩにおけるＬｉｎｋＡのデータを再現し、Ｄｕａｌ  ｌｉｎｋ  １．５Ｇ−ＳＤＩ再フレーム化回路４０に出力する。
【００８６】
パリティビット付加部３７は、誤り訂正復号回路１９から第２の映像データを入力し、第２の映像データを４つに分離し、それぞれＳＭＰＴＥ３７２の規定によるＤｕａｌ  ｌｉｎｋ  １．５Ｇ−ＳＤＩのＬｉｎｋＢのパリティビット（パリティビット削除部３２によって削除されたパリティビットに相当する。）を付加し、４系統のＤｕａｌ  ｌｉｎｋ  １．５Ｇ−ＳＤＩにおけるＬｉｎｋＢのデータを再現し、Ｄｕａｌ  ｌｉｎｋ  １．５Ｇ−ＳＤＩ再フレーム化回路４０に出力する。このように、パリティビット付加部３７は、第２の映像データを復元する復元手段として作用する。
【００８７】
補助データ復号分離部３８は、誤り訂正復号回路１９から水平補助データ等を入力し、水平補助データ等のうちの１本分の水平補助データを８Ｂ／１０Ｂ復号し、水平補助データ等から８本のＥＡＶデータ、ＬＮデータ及びＣＲＣＣデータを分離すると共に、他の７本分の水平補助データに相当する部分にスタッフィングデータを設定し、４系統のＤｕａｌ  ｌｉｎｋ  １．５Ｇ−ＳＤＩ信号におけるＬｉｎｋＡ，Ｂの水平補助データ等としてＤｕａｌ  ｌｉｎｋ  １．５Ｇ−ＳＤＩ再フレーム化回路４０に出力する。
【００８８】
以上の構成により、４系統のＤｕａｌ  ｌｉｎｋ  １．５Ｇ−ＳＤＩのデータに、誤り訂正符号を付加して送受信することができる。すなわち、スタッフィングデータ領域を利用して誤り訂正符号を付加することで、データ容量を保ったまま、ジッタを増加させることなく、誤り訂正機能を付加することを可能とした。したがって、１．５Ｇ−ＳＤＩの映像信号の長距離伝送における受信品質の改善を実現することが可能となる。
【００８９】
以上のように、実施例２の送信装置２６及び受信装置３４によれば、４系統のＤｕａｌ  ｌｉｎｋ  １．５Ｇ−ＳＤＩのデータに、誤り訂正符号を付加して送受信することができる。すなわち、送信装置２６が、４系統のＤｕａｌ  ｌｉｎｋ  １．５Ｇ−ＳＤＩのデータのうちのＬｉｎｋＢの映像データからパリティビットを削除し、この削除により得られたスタッフィングデータ領域を利用すると共に、４系統のＤｕａｌ  ｌｉｎｋ  １．５Ｇ−ＳＤＩのデータのうちの７本の信号において水平補助データが伝送されないスタッフィングデータ領域を利用し、そのスタッフィングデータ領域に誤り訂正符号を付加するようにした。これにより、データ容量を保ちながら、ジッタを増加させることなく、誤り訂正機能を付加することができる。したがって、１．５Ｇ−ＳＤＩの映像信号の長距離伝送における受信品質の改善を図ることが可能となる。
【００９０】
以上、実施例を挙げて本発明を説明したが、本発明は前記実施例に限定されるものではなく、その技術思想を逸脱しない範囲で種々変形可能である。例えば、前記実施例では、誤り訂正において、各パケットのバイト数を２０４として、付加されるパリティビットを１６バイトとしたが、これらのバイト数は適宜変更可能である。
【符号の説明】
【００９１】
１−１〜１−８  映像データ送信装置（送信装置）
２  同期信号抽出回路  
３  誤り訂正付加回路
４  メモリ
５  １０Ｇ−ＳＤＩフレーム構成回路
６  送信部
７  クロック抽出回路
８  映像信号分離回路
９  デスクランブラ
１０  ８Ｂ／１０Ｂ復号部
１１  多重部
１２  誤り訂正符号化回路
１３  バイト→ワード変換回路
１４−１〜１４−８  映像データ受信装置（受信装置）
１５  受信部
１６  同期信号検出回路
１７  誤り訂正回路
１８  ワード→バイト変換回路
１９  誤り訂正復号回路
２０  スクランブラ
２１  ８Ｂ／１０Ｂ符号部
２２  合成回路
２３  メモリ
２４  １０Ｇ−ＳＤＩ再フレーム化回路
２５  クロック再生回路
２６  映像データ送信装置（送信装置）
２７  同期信号抽出回路
２８  誤り訂正付加回路
２９  １０Ｇ−ＳＤＩ同期信号生成回路
３０  映像信号分離回路
３１  デスクランブラ
３２  パリティビット削除部
３３  補助データ符号多重部
３４  映像データ受信装置（受信装置）
３５  誤り訂正回路
３６  データ分離部
３７  パリティビット付加部
３８  補助データ復号分離部
３９  １．５Ｇ−ＳＤＩ同期信号生成回路
４０  Ｄｕａｌ  ｌｉｎｋ  １．５Ｇ−ＳＤＩ再フレーム化回路
【図１】
2012239123.tif 000003
【図２】
2012239123.tif 000004
【図３】
2012239123.tif 000005
【図４】
2012239123.tif 000006
【図５】
2012239123.tif 000007
【図６】
2012239123.tif 000008
【図７】
2012239123.tif 000009
【図８】
2012239123.tif 000010
【図９】
2012239123.tif 000011
【図１０】
2012239123.tif 000012
【図１１】
2012239123.tif 000013